(57)【要約】      （修正有）【課題】作業員の手動操作で廃棄物を効率的に圧縮することができ、且つ安価に製造できる簡単な構造を有する手動式廃棄物圧縮機を提供する。【解決手段】廃棄物の収容箱１０の開口端に固定される取付プレート３と、取付プレート３の上面に固着された保持フレーム９と、該保持フレーム９に一端から突出した支点部１１ａが回動可能に支持されたストッパレバー１１と、取付プレート３および保持フレーム９の各挿通孔３ｃ，９ｂに摺動自在に貫通されるとともに、ストッパレバー１１の係止孔１１ｂに遊挿状態に貫通され、収容箱１０内に収容されている廃棄物を押圧して圧縮する圧縮板が下端に、且つ押圧操作用の操作棒が上端にそれぞれ設けられた押圧棒１２と、保持プレート９とストッパレバー１１との間に介装されてストッパレバー１１を回動付勢することにより、係止孔１１ｂの孔縁部を押圧棒１２の外面に圧接させる弾性部材１８とを備えている。【選択図】図４
0003152450.tif 000002
【実用新案登録請求の範囲】
【請求項１】
廃棄物の収容箱の開口端に着脱自在に固定される取付プレートと、前記取付プレートの上面に固着された保持フレームと、前記保持フレームに一端の支点部が回動可能に支持されたストッパレバーと、前記取付プレートおよび保持フレームの各挿通孔に摺動自在に貫通されるとともに、前記ストッパレバーの係止孔に遊挿状態に貫通され、前記収容箱内に収容されている廃棄物を押圧して圧縮する圧縮板が下端に、且つ押圧操作用の操作棒が上端にそれぞれ設けられた押圧棒と、前記保持プレートとストッパレバーとの間に介装されて前記ストッパレバーを回動付勢することにより、前記係止孔の孔縁部を前記押圧棒の外面に圧接させる弾性部材とを備えていることを特徴とする手動式廃棄物圧縮機。
【請求項２】
前記弾性部材が圧縮コイルばねであることを特徴とする請求項１に記載の手動式廃棄物圧縮機。
【請求項３】
前記保持フレームの下面または上面に固定された補助フレームと、前記補助フレーム内への収納部分に形成された挿通孔に前記押圧棒が遊挿状態に貫通され、前記補助フレームの側方に突出する操作部を一体に有する圧縮補助レバーと、前記圧縮補助レバーの下面に重ね合わせた状態で前記補助フレーム内に収納されて、自体の挿通孔に前記押圧棒が遊挿状態に貫通された圧縮補助板と、前記補助フレームと前記圧縮補助板との間に介装されて前記圧縮補助レバーおよび前記圧縮補助板を互いに重ね状態で前記補助フレームの上面に押し付ける付勢力を付与する補助弾性部材とを備え、前記操作部により前記圧縮補助レバーの一端部に押圧力が付与されたときに、前記圧縮補助レバーが前記押圧棒に対し傾斜して、前記圧縮補助レバーの前記挿通孔の孔縁部が前記押圧棒に圧接されるとともに、前記圧縮補助板が、傾斜した前記圧縮補助レバーで一端部を押圧されることにより傾斜して、前記圧縮補助板の前記挿通孔の孔縁部が前記押圧棒に圧接されたのちに、前記操作部への押圧力により下動する前記圧縮補助板および前記圧縮補助レバーと一体に前記押圧棒が強制的に下動される構成となっていることを特徴とする請求項１または２に記載の手動式廃棄物圧縮機。
【請求項４】
前記補助弾性部材が圧縮コイルばねであることを特徴とする請求項３に記載の手動式廃棄物圧縮機。
【考案の詳細な説明】
【技術分野】
【０００１】
本考案は、各種廃棄物を作業員の手動操作によって容易に圧縮できる手動式廃棄物圧縮機に関するもので、特に、病院や医院などの医療施設において発生する医療廃棄物を圧縮する用途に好適に用いることができるものである。
【背景技術】
【０００２】
医療施設では、患者の介護などに使用済みの脱脂綿、ティシュ類およびプラスチック類などの医療廃棄物が多く発生し、これらの医療廃棄物は、主に衛生管理上の観点から、一般に、医療廃棄物用ゴミ箱に収納した状態のままで焼却処分に出される。
【０００３】
上述の医療廃棄物のうちで最も大量に発生する脱脂綿やティシュ類などは医療廃棄物用ゴミ箱に入れたときに非常に嵩張るので、そのままで焼却処分を行うと、多くの医療廃棄物用ゴミ箱が必要となって不経済である。そこで、医療廃棄物用ゴミ箱に収容した医療廃棄物を、例えば、手袋を着用した作業員によって手で上から押さえつけて圧縮することが考えられる。このような圧縮手段は、衛生面から好ましいことではなく、また、手で押さえ付けるだけでは医療廃棄物の圧縮効率も悪い。
【０００４】
また、従来では、ゴミ箱内のゴミを圧縮するものとして、棒体の下端部に一体に設けたハネ支持部に複数のハネが回転自在に取り付けられたゴミ圧縮棒が提案されている（例えば、特許文献１参照）。このゴミ圧縮棒は、ゴミ箱に投入されたゴミが満杯になったときに、複数のハネを設けたハネ支持部をゴミ箱の投入口から挿入したのち、棒体を押し下げる操作を行うと、通常時に下向きに姿勢の各ハネがゴミの上端面に摺接しながら回動されて横向きとなることにより、各ハネが、ゴミに対する接触面積が増大して恰もゴミの押圧部として機能するものである。
【０００５】
さらに、従来では、ゴミ箱に収納したゴミ袋内のゴミを手動操作で圧縮できる機能を備えた圧縮機能付きゴミ箱も提案されている（例えば、特許文献２参照）。この圧縮機能付きゴミ箱は、ゴミ箱本体の相対向する側壁にそれぞれ上下動自在に設けられた一対のリンク棒を有し、両リンク棒の上端が取っ手で連結され、この取っ手に、ゴミを圧縮するための圧縮板が連結されたものである。
【先行技術文献】
【特許文献】
【０００６】
【特許文献１】特開２００６−３０６６１４号公報
【特許文献２】特開２００１−１８７６０１号公報
【考案の概要】
【考案が解決しようとする課題】
【０００７】
しかしながら、特許文献１のゴミ圧縮棒は、棒体の押し下げ操作を中止して押し下げ力を解除すると、圧縮したゴミが圧縮されたことによる自体の復元力で再び膨れるので、効率的に圧縮することができない。しかも、医療廃棄物のうちで最も大量に発生する脱脂綿やティシュ類などは、確実に塑性変形するまで圧縮状態を一定時間の間保持する必要があるので、作業員が一定時間にわたり押し下げ力を付与し続けることは無理である。一方、特許文献２の圧縮機能付きゴミ箱は、ゴミの圧縮する作業時に特許文献１と同様の欠点があるとともに、ゴミ箱本体に圧縮機能が一体的に設けられているので、医療廃棄物用ゴミ箱などに適用することができない。
【０００８】
本考案は、作業員の手動操作で廃棄物を効率的に圧縮することができ、且つ安価に製造できる簡単な構造を有する手動式廃棄物圧縮機を提供することを目的としている。
【課題を解決するための手段】
【０００９】
上記目的を達成するために、請求項１に係る考案の手動式廃棄物圧縮機は、廃棄物の収容箱の開口端に着脱自在に固定される取付プレートと、前記取付プレートの上面に固着された保持フレームと、前記保持フレームに一端の支点部が回動可能に支持されたストッパレバーと、前記取付プレートおよび保持フレームの各挿通孔に摺動自在に貫通されるとともに、前記ストッパレバーの係止孔に遊挿状態に貫通され、前記収容箱内に収容されている廃棄物を押圧して圧縮する圧縮板が下端に、且つ押圧操作用の操作棒が上端にそれぞれ設けられた押圧棒と、前記保持プレートとストッパレバーとの間に介装されて前記ストッパレバーを回動付勢することにより、前記係止孔の孔縁部を前記押圧棒の外面に圧接させる弾性部材とを備えている。
【００１０】
請求項２に係る考案の手動式廃棄物圧縮機は、弾性部材として、圧縮コイルばねを用いている。
【００１１】
請求項３に係る考案の手動式廃棄物圧縮機は、前記保持フレームの下面または上面に固定された補助フレームと、前記補助フレーム内への収納部分に形成された挿通孔に前記押圧棒が遊挿状態に貫通され、前記補助フレームの側方に突出する操作部を一体に有する圧縮補助レバーと、前記圧縮補助レバーの下面に重ね合わせた状態で前記補助フレーム内に収納されて、自体の挿通孔に前記押圧棒が遊挿状態に貫通された圧縮補助板と、前記補助フレームと前記圧縮補助板との間に介装されて前記圧縮補助レバーおよび前記圧縮補助板を互いに重ね状態で前記補助フレームの上面に押し付ける付勢力を付与する補助弾性部材とを備え、前記操作部により前記圧縮補助レバーの一端部に押圧力が付与されたときに、前記圧縮補助レバーが前記押圧棒に対し傾斜して、前記圧縮補助レバーの前記挿通孔の孔縁部が前記押圧棒に圧接されるとともに、前記圧縮補助板が、傾斜した前記圧縮補助レバーで一端部を押圧されることにより傾斜して、前記圧縮補助板の前記挿通孔の孔縁部が前記押圧棒に圧接されたのちに、前記操作部への押圧力により下動する前記圧縮補助板および前記圧縮補助レバーと一体に前記押圧棒が強制的に下動される構成となっている。
【００１２】
請求項４に係る考案の手動式廃棄物圧縮機は、請求項３の考案における補助弾性部材として、圧縮コイルばねを用いている。
【考案の効果】
【００１３】
請求項１に係る手動式圧縮機によれば、廃棄物が満杯となった収容箱の開口端に取付プレートを固定して取り付け、ストッパレバーを回動操作してストッパレバーの係止孔の孔縁部と押圧棒の外面との圧接点を解除した状態で、操作棒に押し下げ力を付与して押圧棒を下動させると、押圧棒の下端の圧縮板が収容箱内の廃棄物を圧縮していく。なお、ストッパレバーをあえて回動操作しなくても、即ち上記圧接点を解除しなくても、操作棒をやや強めに押し下げれば押圧棒を下動し得るようにすることも出来る。廃棄物を十分に圧縮できたときに、先ず、ストッパレバーの押し下げを解除すると、ストッパレバー１１が弾性部材の付勢力により元の状態に自動的に復帰して、押圧棒の外面と係止孔の孔縁部との間に圧接点が再び発生する。そのため、押圧棒は、圧縮された廃棄物の復元力を圧縮板を介して受けても、圧接点に発生している強い摩擦力により上動を阻止されて、圧縮板で廃棄物を圧縮した状態を保持する。
【００１４】
この手動式廃棄物圧縮機は、極めて簡単な構造であって安価に製造できるものであるにも拘わらず、収容箱に取り付けたのちに、操作棒を押し下げる操作を行うことで、収容箱内の廃棄物を容易に、且つ効率的に圧縮することができる。特に、医療廃棄物の圧縮に使
用する場合には、衛生面においても何ら問題が生じない。また、廃棄物の圧縮が完了した時点でストッパレバーへの操作力を解除することで、操作棒を容易に引き上げ操作することができ、圧縮板および押圧棒を上限位置に移動させて、収納箱から容易に取り外すことができる。
【００１５】
請求項２に係る手動式廃棄物圧縮機によれば、圧縮コイルばねは、この内部に挿通される押圧棒によって位置ずれすることなく保持されるので、ストッパレバーを常に確実に回動付勢することができる。
【００１６】
請求項３に係る手動式廃棄物圧縮機によれば、操作棒を押し下げることにより、収容箱内の廃棄物を圧縮したのちに、廃棄物を圧縮した状態に保持できる。この状態で、圧縮補助レバーの操作部の押し下げ操作を行うと、圧縮補助レバーにおける操作部が設けられた一端部が押し下げられることにより、圧縮補助レバーは、補助フレームに当接している自体の他端部を支点として回動することで、傾斜状態に変位する。圧縮補助板は、これの一端部に、傾斜状態に変位した圧縮補助レバーの下方端から押し下げ力を受けることにより、他端部が圧縮補助レバーから離間した傾斜状態に変位される。これにより、圧縮補助レバーおよび圧縮補助板の各々の挿通孔の孔縁部が押圧棒の外面にそれぞれ圧接して、圧縮補助レバーと押圧棒との間に圧接点が生じるとともに、圧縮補助板の挿通孔の孔縁部と押圧棒との間にも圧接点が生じる。
【００１７】
したがって、圧縮補助レバーと押圧棒との間の２箇所の圧接点および圧縮補助板と押圧棒との間の２箇所の圧接点に生じる強い摩擦力により、圧縮補助レバーの操作部の押し下げ操作に伴って下方へ移動される圧縮補助レバーおよび圧縮補助板と一体に押圧棒も強制的に押し下げられていく。このとき、補助フレームの側方へ突出した操作部に付与する操作力は、圧縮補助レバーの挿通孔の孔縁部と押圧棒との間の圧接点を支点とした、所謂、てこの原理を活用した操作力と同等となり、大きな押し下げ力に変換される。そのため、操作部にさほど強い押し下げ力を付与しなくても、弾性部材の付勢力に抗し、且つ押圧棒とストッパレバーの係止孔との圧接による摩擦力に抗して、押圧棒を強制的に下動させることができる。このとき、圧縮補助板は、圧縮補助レバーに対し一端部のみで当接するだけであるから、弾性部材の付勢力の殆どを自体でのみ受けている。したがって、圧縮補助レバーは、弾性部材の付勢力を直接的に受けないので、操作部を押し下げ操作したときに、てこの原理が効果的に発揮される。これにより、操作棒の押し下げにより一旦圧縮済みの廃棄物を、操作部の操作により圧縮補助レバーと圧縮補助板とによってさらに強制的に圧縮することができる。
【００１８】
また、圧縮補助レバーの操作部への操作力を解除したときには、圧縮補助レバーおよび圧縮補助板が弾性部材の復元力を受けて元の状態に復帰するが、押圧棒は、ストッパレバーの係止孔の孔縁部との圧接点に生じる摩擦力により上動するのが阻止されているので、収容箱内の廃棄物は、圧縮補助レバーおよび圧縮補助板により強制的に圧縮された状態のまま保持される。
【００１９】
請求項４に係る手動式廃棄物圧縮機によれは、圧縮コイルばねは、この内部に挿通される押圧棒によって位置ずれすることなく保持されるので、圧縮補助レバーおよび圧縮保持板を常に確実に回動付勢することができる。
【図面の簡単な説明】
【００２０】
【図１】本考案の一実施形態に係る手動式廃棄物圧縮機を示す縦断面図である。
【図２】同上の手動式廃棄物圧縮機のゴミ箱に取り付けた状態を示す平面図である。
【図３】図２の状態の縦断面図である。
【図４】図３の手動式廃棄物圧縮機の要部の拡大図である。
【図５】図４の状態からストッパレバーを回動した状態の手動式廃棄物圧縮機を示す要部の拡大図である。
【図６】本考案の他の実施形態に係る手動式廃棄物圧縮機を示す要部の縦断面図である。
【図７】図６の状態から圧縮補助レバーを回動操作した状態の手動式廃棄物圧縮機を示す要部の縦断面図である。
【図８】図７の状態から圧縮補助レバーを押し下げ操作した状態の手動式廃棄物圧縮機を示す要部の縦断面図である。
【考案を実施するための形態】
【００２１】
以下、本考案の好ましい実施形態について図面を参照しながら詳述する。
【００２２】
図１は、本考案を医療用廃棄物を圧縮する用途に適用する場合の一実施形態の手動式廃棄物圧縮機１Ａにおける医療廃棄物用ゴミ箱（以下、省略してゴミ箱という）１０に取り付ける前の状態を示す縦断面図である。この手動式廃棄物圧縮機１Ａは、ゴミ箱１０に固定するための金属製の支持プレート２および取付プレート３を有し、これら支持プレート２および取付プレート３は、互いに直交する配置で上下に重ね合わされて、その交差する箇所がスポット溶接により互いに固着されている。支持プレート２および取付プレート３にはそれぞれ、各々の両端部をそれぞれ下方に向け直角に折り曲げることにより、ゴミ箱の上端開口の外縁部に膨出形成された外鍔部１０ａの外面に当てがわれる一対の保持片２ａ、３ａが形成されている。
【００２３】
前記取付プレート３の両端部における各保持片３ａの外面およびこれの近傍箇所にはそれぞれ、取付プレート３をゴミ箱に固定するためのクランプ部材４が装着されている。このクランプ部材４は、本体部に垂下状態に取り付けられた爪状の留め具７と、本体部に回動自在に設けられた締結操作用レバー８とを備えている。留め具７は、矢印で示すように、垂下位置から外方へ向け僅かに回動できるようになっている。締結操作用レバー８は、図示位置から下方へ回動させることにより、留め具７を所定高さだけ持ち上げるように機能する。なお、クランプ部材４は、図１に例示したものに限らず、取付プレート３をゴミ箱１０の外鍔部１０ａに引っ掛けて固定できるものであればよく、この種の周知の部材を用いることができる。
【００２４】
取付プレート３の上面中央部には、縦断面略コ字形状の保持フレーム９が固着されており、この保持フレーム９の立壁部分のほぼ中央部に、ストッパレバー１１の一端部が回動可能に係止されている。このストッパレバー１１の取付形態の詳細については後述する。上述の支持プレート２、取付プレート３、保持フレーム９およびストッパレバー１１の中央部には押圧棒１２が貫通されており、この押圧棒１２の下端および上端にはそれぞれ、圧縮板１３および操作棒１４が、押圧棒１２に対し直交する配置で各々の中央部が固着されている。支持プレート２、取付プレート３、保持フレーム９、ストッパレバー１１、押圧棒１２、圧縮板１３および操作棒１４は、この実施形態においていずれもステンレス製であり、押圧棒１２および操作棒１４は共にパイプからなり、これにより、圧縮機１の軽量化が図られている。なお、操作棒１４の両端部分には、ゴム製のチューブ部材を被せてグリップ部１７が設けられている。また、保持フレーム９の底板部分とストッパレバー１１との間には、圧縮コイルばね１８が介装されており、この圧縮コイルばね１８は、ストッパレバー１１を上方へ向け回動付勢する。
【００２５】
図２および図３は、ゴミ箱１０に取り付けた状態の手動式廃棄物圧縮機１Ａを示す平面図および縦断面図である。この手動式廃棄物圧縮機１Ａは、ゴミ箱１０に投入された医療廃棄物が満杯近くになったときに、押圧棒１２により圧縮板１３をほぼ上限位置まで引き上げた状態でゴミ箱１０に取り付ける。なお、操作棒１４を操作して押圧棒１２および圧
縮板１３を引き上げる作用については後述する。
【００２６】
手動式廃棄物圧縮機１Ａをゴミ箱１０に取り付けるに際しては、支持プレート２および取付プレート３の各々の両端部を、ゴミ箱１０の開口端面の相対向する２箇所に架け渡す状態でそれぞれ載置して、支持プレート２および取付プレート３の各々の一対の保持片２ａ，３ａをゴミ箱１０の外鍔部１０ａの外面に当てがう。このとき、支持プレート２の一対の保持片２ａをゴミ箱１０の外鍔部１０ａの外面に当てがう際には、一方の保持片２ａを外方へ向け直角に折り曲げ形成された操作片２ｂを掴んで作業することにより、一対の保持片２ａをゴミ箱１０の外鍔部１０ａの外面に容易に当てがうことができる。
【００２７】
一方、両端部がゴミ箱１０の両端部に架け渡す状態で載置された取付プレート３では、クランプ部材４の留め具７がゴミ箱１０の外鍔部１０ａに摺接して図１の矢印で示す外方に向け僅かに回動されながら先端部が外鍔部１０ａの下方位置に達し、取付プレート３の一対の保持片３ａが外鍔部１０の外面に接触する。この状態で、クランプ部材４の一対の締結操作用レバー８を、図１の位置から図３に矢印で示すように下方に回動操作すると、一対の留め具７が、引き上げられて先端部がゴミ箱１０の外鍔部１０ａの下面に強く押し当てられる。これにより、手動式廃棄物圧縮機１Ａは、図３に示すように、ゴミ箱１０内に堆積されている医療廃棄物（図示せず）の上端部に圧縮板１３が当たった状態でゴミ箱１０に強固に固定される。
【００２８】
図３に示すように、板状のストッパレバー１１には、これの一端部（図の左端部）の中央部から支点部１１ａが一体に突設されている。図３の要部の拡大図である図４に示すように、前記支点部１１ａは、ストッパレバー１１に対し上方へ向け僅かに折れ曲がった形状に形成されている。一方、保持フレーム９の立壁部には、支点部１１ａの厚みよりも若干大きな孔幅を有する矩形のスリット状の支持孔９ａが形成されており、この支持孔９ａに支点部１１ａが遊挿されている。また、ストッパレバー１１の中央部には、押圧棒１２の外径よりも所定長だけ大きな径を有する係止孔１１ｂが形成されており、この係止孔１１ｂに押圧棒１２が挿通されている。
【００２９】
したがって、ストッパレバー１１は、支点部１１ａを支点として回動可能に支持され、且つ圧縮コイルばね１８により上方へ向け弾性力を付与されているため、通常時において、係止孔１１ｂの径方向で相対向する２箇所の孔縁部が、圧縮コイルばね１８の比較的強い付勢力で押圧棒１２の外面に圧接されて傾斜した姿勢に保持されている。これにより、押圧棒１２は、これの外面と係止孔１１ｂとの２箇所の孔縁部との圧接点Ｐ１に生じる摩擦力によって上下方向への移動を阻止されている。なお、操作棒１４をやや強めに押し下げれば、ストッパレバー１１に押圧棒１２との圧接を解除する力を与えなくても押圧棒１２の下動は可能である。また、取付プレート３は、図２および図３に示すように、長手方向の両側部をそれぞれ上方へ直角に折り曲げて形成された一対の補強片３ｂにより高い剛性が付与されているので、圧縮コイルばね１８の付勢力や下方から圧力を受けることによる曲げ力に対して高い耐久性を有している。なお、押圧棒１２は、支持プレート２、取付プレート３および保持フレーム９の各々の挿通孔２ｃ、３ｃ、９ｂに摺動自在に挿通されている。
【００３０】
そして、ゴミ箱１０内に堆積状態に収容されている医療廃棄物を圧縮する場合には、図５に示すように、ストッパレバー１１をほぼ水平に位置するまで押し下げることにより、押圧棒１２の外面と係止孔１１ｂとの２箇所の圧接点Ｐ１を解消して、押圧棒１２を、ストッパレバー１１の干渉を受けることなく自在に下動できる状態となる。この状態で、作業員は、操作棒１４の両端のグリップ部１７を把持して操作棒１４を押し下げるように操作する。なお、前述の通り、操作棒１４をやや強めに押し下げれば、ストッパレバー１１をあえて押し下げなくても（何の力を加えなくても）、押圧棒１２の下動は可能である。
これにより、圧縮板１３は、押圧棒１２の下動に伴って押し下げられながら、ゴミ箱１０内の医療廃棄物を圧縮していく。
【００３１】
作業員は、医療廃棄物を十分に圧縮できたと判断したときに、先ず、ストッパレバー１１の押し下げを解除する。これにより、ストッパレバー１１は、圧縮コイルばね１８の付勢力により図５の水平位置から図４の元の傾斜位置に自動的に復帰して、押圧棒１２の外面と係止孔１１ｂの孔縁部との間に２箇所の圧接点Ｐ１が再び発生する。そのため、押圧棒１２は、圧縮された医療廃棄物の復元力を圧縮板１３を介して受けても、２箇所の圧接点Ｐ１に発生している強い摩擦力により上動を阻止されていることにより、圧縮板１３が医療廃棄物を圧縮した状態のまま保持する。
【００３２】
手動式廃棄物圧縮機１Ａは、上述の圧縮板１３で医療廃棄物を圧縮した状態を一定時間の間保持したのちに、ストッパレバー１１を水平位置まで回動させて操作棒１４を上限位置まで引き上げ、締結操作用レバー８を上方に回動操作してクランプ部材４のゴミ箱１０の外鍔部１０ａへの固定を解除して、ゴミ箱１０から取り外す。このようにして、ゴミ箱１０内の医療廃棄物が圧縮されて体積が減少すれば、この圧縮された医療廃棄物の上へさらに新たな医療廃棄物を投入して、上述したと同様の作業を繰り返すことにより、ゴミ箱１０の上方部に堆積している医療廃棄物を圧縮する。
【００３３】
この手動式廃棄物圧縮機１Ａは、極めて簡単な構造であって安価に製造できるものであるにも拘わらず、ゴミ箱１０に取り付けたのちに、ストッパレバー１１を水平位置まで押し下げた状態で、又はストッパレバー１１はそのままの状態で、操作棒１４を押し下げる操作を行うことで、ゴミ箱１０内の医療廃棄物を容易に、且つ効率的に圧縮することができ、しかも、医療廃棄物を取り扱うに際しての衛生面においても問題がない。また、医療廃棄物の圧縮が完了した時点で、圧縮板１３および押圧棒１２の上動を阻止して医療廃棄物を圧縮状態に確実に保持できる。
【００３４】
なお、前記実施形態では、医療廃棄物の圧縮に適用した場合を例示して説明したが、この実施形態の手動式廃棄物圧縮機１Ａは、医療廃棄物以外に、通常の堆積時に嵩張った状態となるが、操作棒１４の押し下げ力によって容易に圧縮が可能な他の廃棄物を圧縮する用途にも好適に用いることができる。
【００３５】
図６は、本考案の他の実施形態に係る手動式廃棄物圧縮機１Ｂを示す要部の縦断面図であり、一実施形態と同一または相当するものには同一の符号を付して、重複する説明を省略する。この手動式廃棄物圧縮機１Ｂは、一実施形態の保持フレーム９の下面に、縦断面ほぼコ字形状の補助フレーム１９の上面が固着され、補助フレーム１９の下面が取付プレート３の上面に固着されている。補助フレーム１９の上部には、圧縮補助レバー２０および圧縮補助板２１が、上下に重ね合わせた状態で水平に配置された状態で、各々の中央部に形成された挿通孔２０ａ，２１ａに押圧棒１２が遊挿状態に貫通されて、回動可能に支持されている。圧縮補助板２１と補助フレーム１９の底板部との間には、補助圧縮コイルばね２２が介装されており、通常時には、圧縮補助レバー２０および圧縮補助板２１が、重ね合わされた状態で補助圧縮コイルばね２２の付勢力により補助フレーム１９の天板部の内面に押し付けられている。このとき、圧縮補助レバー２０および圧縮補助板２１の各々の挿通孔２０ａ，２１ａと押圧棒１２の外周面との間には隙間が存在している。
【００３６】
圧縮補助レバー２０には、補助フレーム１９の側方へ大きく突出した操作部２３が一体に設けられており、操作部２３は、僅かに上がり勾配に傾斜した配置で設けられている。また、上方の保持フレーム９および補助フレーム９の各々の側面には、帯状の二つの補強板２４が架け渡す配置で固着されている。
【００３７】
つぎに、この実施形態に係る手動式廃棄物圧縮機１Ｂの使用形態および作用について説明する。一実施形態で説明したと同様にしてゴミ箱１０に取り付けたのち、ストッパレバー１１を水平配置となるまで押し下げた状態で操作棒１２を押し下げることにより、ゴミ箱１０内の医療廃棄物を圧縮してのち、ストッパレバー１１の押し下げ力を解除して、医療廃棄物を圧縮した状態に保持する。上述の操作棒１２の押し下げ操作時には、圧縮補助レバー２０および圧縮補助板２１の各々の挿通孔２０ａ，２１ａと操作棒１２との外周面との間に隙間が存在しているので、圧縮補助レバー２０および圧縮補助板２１が操作棒１２の押し下げ操作に何ら干渉しない。
【００３８】
つぎに、図７に示すように、上述のように医療廃棄物を圧縮板１３で圧縮した状態で、操作部２３の押し下げ操作を行うと、圧縮補助レバー２０における操作部２３が設けられた一端部が押し下げられることにより、圧縮補助レバー２０は、補助フレーム１９の天板部に当接している圧縮補助レバー２０の他端部を支点として回動され、傾斜状態に変位する。圧縮補助板２１は、これの一端部に、傾斜状態に変位した圧縮補助レバー２０の下方端から押し下げ力を受けることにより、他端部が圧縮補助レバー２０から離間した傾斜状態に変位される。図７に示すように、圧縮補助レバー２０の操作部２３が水平配置となる位置まで回動されたときに、圧縮補助レバー２０および圧縮補助板２１の各々の挿通孔２０ａ，２１ａが径方向で対向する２箇所の孔縁部が押圧棒１２の外面にそれぞれ当接して、圧縮補助レバー２０と押圧棒１２との間に２箇所の圧接点Ｐ２が生じるとともに、圧縮補助板２１と押圧棒１２との間に２箇所の圧接点Ｐ３が生じる。
【００３９】
図７の水平配置となった操作部２３をさらに押し下げる操作を行うと、図８に示すように、圧縮補助レバー２０と押圧棒１２との間の２箇所の圧接点Ｐ２および圧縮補助板２１と押圧棒１２との間の２箇所の圧接点Ｐ３にそれぞれ生じる強い摩擦力により、操作部２３の押し下げ操作に伴って下方へ移動される圧縮補助レバー２０および圧縮補助板２１と一体に押圧棒１２も強制的に下動されていく。このとき、補助フレーム１９の側方へ大きく突出した操作部２３に付与する押し下げ力は、圧縮補助レバー２０と押圧棒１２との間の２箇所の圧接点Ｐ２を支点とした、所謂てこの原理を活用した操作力と同等となり、大きな押し下げ力に変換される。
【００４０】
そのため、操作部２３にさほど強い押し下げ力を付与しなくても、補助圧縮コイルばね２２の付勢力に抗し、且つ押圧棒１２とストッパレバー１１の係止孔１１ｂとの摩擦力に抗して、押圧棒１２を強制的に下動させることができる。このとき、圧縮補助板２１は、圧縮補助レバー２０に対し一端部のみで当接するだけであり、補助圧縮コイルばね２２の付勢力を殆ど自体でのみ受けている。したがって、圧縮補助レバー２０は、補助圧縮コイルばね２２の付勢力を直接的に受けないので、操作部２３を押し下げ操作したときに、てこの原理が効果的に発揮される。
【００４１】
これにより、操作棒１４の押し下げにより圧縮したゴミ箱１０内の医療廃棄物を、操作部２３の押し下げにより圧縮補助レバー２０と圧縮補助板２１とによりさらに圧縮することができる。したがって、この実施形態の手動式廃棄物圧縮機１Ｂは、操作棒１４による押し下げが不可ないしは厳しい場合に好適なものである。そして、操作部２３の押し下げ力を解除したときには、圧縮補助レバー２０および圧縮補助板２１が補助圧縮コイルばね２２の復元力を受けて図６の元の状態に復帰するが、押圧棒１２は、ストッパレバー１１の係止孔１１ｂとの当接点Ｐ１の摩擦力により上動するのが阻止されているので、ゴミ箱１０内の医療廃棄物は、圧縮補助レバー２０および圧縮補助板２１により強制的に圧縮された状態のまま保持される。
【産業上の利用可能性】
【００４２】
特に、医療施設で多く発生する医療廃棄物を圧縮する用途に好適に適用することができ
るが、その他に、通常の堆積時に嵩張った状態となるが、操作棒の押し下げ力によって容易に圧縮が可能な廃棄物を圧縮する用途にも好適に用いることができる。
【符号の説明】
【００４３】
１Ａ，１Ｂ  手動式廃棄物圧縮機
３  取付プレート
３ａ  取付プレートの挿通孔
９  保持フレーム
９ｂ  保持フレームの挿通孔
１０  ゴミ箱（収容箱）
１１  ストッパレバー
１１ａ  支点部
１１ｂ  ストッパレバーの係止孔
１２  押圧棒
１３  圧縮板
１４  操作棒
１８  圧縮コイルばね（弾性部材）
１９  補助フレーム
２０  圧縮補助レバー
２０ａ  圧縮補助レバーの挿通孔
２１  圧縮補助板
２１ａ  圧縮補助板の挿通孔
２２  圧縮コイルばね（補助弾性部材）
２３  操作部
【図１】
0003152450.tif 000003
【図２】
0003152450.tif 000004
【図３】
0003152450.tif 000005
【図４】
0003152450.tif 000006
【図５】
0003152450.tif 000007
【図６】
0003152450.tif 000008
【図７】
0003152450.tif 000009
【図８】
0003152450.tif 000010